(57)【要約】【課題】ジャッキを用いて積極的に且つスム―ズに枝管円筒体が確実に枝管内面に導入されて枝管の内面と該枝管の近傍の本管の内面とを補修部材により正確にライニングする分岐管を有する管路の補修に用いるパッカ―を提供する。【解決手段】本管１の内周面に適合される本管円筒体３と該本管円筒体の中央部に位置し枝管１０の内周面に適合されるようになされた枝管円筒体４とで側面視が略Ｔ状に構成されたパッカ―２であり、該パッカ―の外周に補修部材９が配置されるようになされ、前記枝管円筒体の直下で本管円筒体内に、枝管円筒体を枝管内に導入させるジャッキ８を配置した、分岐管を有する管路の補修に用いるパッカ―。【選択図】    図１
2007321841.tif 000002
【特許請求の範囲】
【請求項１】
枝管の内面と該枝管の近傍の本管の内面とを補修部材によりライニングする分岐管を有する管路の補修に用いるパッカ―において、
本管の内周面に適合される本管円筒体と該本管円筒体の中央部に位置し枝管の内周面に適合されるようになされた枝管円筒体とで側面視が略Ｔ状に構成されたパッカ―であり、
該パッカ―の外周に補修部材が配置されるようになされ、
前記枝管円筒体の直下で本管円筒体内に、枝管円筒体を枝管内に導入させるジャッキを配置した、
ことを特徴とする分岐管を有する管路の補修に用いるパッカ―。
【請求項２】
前記ジャッキを多段に構成し枝管円筒体の枝管への導入ストロ―クを増大させるようにしたことを特徴とする請求項１記載の分岐管を有する管路の補修に用いるパッカ―。
【請求項３】
前記ジャッキを傾動自在に本管円筒体内に枢支して本管に対する枝管の傾斜角度に適応させるようにしたことを特徴とする請求項１または請求項２記載の分岐管を有する管路の補修に用いるパッカ―。
【請求項４】
前記ジャッキの外郭をカバ―で覆ってジャッキおよびパッカ―の内面の保護をするようにしたことを特徴とする請求項１または請求項２または請求項３記載の分岐管を有する管路の補修に用いるパッカ―。
【発明の詳細な説明】
【技術分野】
【０００１】
本発明は、枝管の内面と該枝管の近傍の本管の内面とを補修部材によりライニングする分岐管を有する管路の補修に用いるパッカ―に関するものである。
【背景技術】
【０００２】
従来、枝管の内面と該枝管の近傍の本管の内面とを補修部材によりライニングする分岐管を有する管路の補修に用いるパッカ―として、本管の内周面に適合される本管円筒体と該本管円筒体の中央部に位置し枝管の内周面に適合されるようになされた枝管円筒体とで側面視が略Ｔ状にパッカ―を構成し、該パッカ―を本管内で収縮した状態で配置し、パッカ―の外周に補修部材を配置したものを枝管の中心軸線直下まで移動させ、当該部位でパッカ―内に圧縮空気を供給してパッカ―を膨張させ、パッカ―内からの空気圧によって本管円筒体を本管の内面に適合させると共に枝管円筒体を枝管の内面に適合させるようにしたものがある（例えば特許文献１参照）。
【０００３】
【特許文献１】特許第３２２４２４６号公報。
【発明の開示】
【発明が解決しようとする課題】
【０００４】
ところが、上記従来のパッカ―の場合には、枝管円筒体を枝管内面に導入させる手段としてパッカ―内に圧縮空気を供給してパッカ―を膨張させる手段によっているため、パッカ―の枝管円筒体の外周が周囲の抵抗を受けて該枝管円筒体が充分に枝管内に導入され難いという問題がある。
【０００５】
本発明は、従来の技術の有するこのような問題点に鑑みてなされたものであり、その目的とするところは、ジャッキを用いて積極的に且つスム―ズに枝管円筒体が確実に枝管内面に導入されて枝管の内面と該枝管の近傍の本管の内面とを補修部材により正確にライニングする分岐管を有する管路の補修に用いるパッカ―を提供しようとするものである。
【課題を解決するための手段】
【０００６】
上記目的を達成するために、本発明における分岐管を有する管路の補修に用いるパッカ―は、本管の内周面に適合される本管円筒体と該本管円筒体の中央部に位置し枝管の内周面に適合されるようになされた枝管円筒体とで側面視が略Ｔ状に構成されたパッカ―であり、該パッカ―の外周に補修部材が配置されるようになされ、前記枝管円筒体の直下で本管円筒体内に、枝管円筒体を枝管内に導入させるジャッキを配置したことを特徴とするものである。
【０００７】
また、前記ジャッキを多段に構成し枝管円筒体の枝管への導入ストロ―クを増大させるようにしたことを特徴とするものである。
【０００８】
また、前記ジャッキを傾動自在に本管円筒体内に枢支して本管に対する枝管の傾斜角度に適応させるようにしたことを特徴とするものである。
【０００９】
また、前記ジャッキの外郭をカバ―で覆ってジャッキおよびパッカ―の内面の保護をするようにしたことを特徴とするものである。
【発明の効果】
【００１０】
請求項１に記載の発明においては、本管の内周面に適合される本管円筒体と該本管円筒体の中央部に位置し枝管の内周面に適合されるようになされた枝管円筒体で側面視が略Ｔ状に構成されたパッカ―であり、該パッカ―の外周に補修部材が配置されるようになされ、前記枝管円筒体の直下で本管円筒体内に枝管円筒体を枝管内に導入させるジャッキを配置したので、本管内で収縮した状態で配置されたパッカ―は移動されて枝管の直下で、パッカ―の枝管円筒体がパッカ―の本管円筒体内に配置されたジャッキによって枝管内面に向けて導入されることから、パッカ―の枝管円筒体の枝管内面への導入は、積極的で且つスム―ズに確実に行われ、しかもジャッキは本管内の汚水等により汚染されることもないものであり、枝管の内面と該枝管の近傍の本管の内面とを補修部材により正確にライニングする分岐管を有する管路の補修に用いるパッカ―となる。
【００１１】
また、請求項２に記載の発明においては、前記ジャッキを多段に構成し枝管円筒体の枝管への導入ストロ―クを増大させるようにしたので、パッカ―が枝管の内面を広範囲にわたってライニングさせ得る、分岐管を有する管路の補修に用いるパッカ―となる。
【００１２】
また、請求項３に記載の発明においては、前記ジャッキを傾動自在に本管円筒体内に枢支して本管に対する枝管の傾斜角度に適応させるようにしたので、パッカ―が、本管に対して枝管の傾斜角が如何なるものにも簡単に適用できて高性能を備えたものとなる、分岐管を有する管路の補修に用いるパッカ―となる。
【００１３】
また、請求項４に記載の発明においては、前記ジャッキの外郭をカバ―で覆ってジャッキおよびパッカ―の内面の保護をするようにしたので、ジャッキによるパッカ―の枝管円筒体の枝管への導入時に該カバ―がジャッキおよびパッカ―の内面を十分に保護してより安全なパッカ―である、分岐管を有する管路の補修に用いるパッカ―となる。
【発明を実施するための最良の形態】
【００１４】
本管の内周面に適合される本管円筒体と該本管円筒体の中央部に位置し枝管の内周面に適合されるようになされた枝管円筒体とで側面視が略Ｔ状に構成されたパッカ―であり、該パッカ―の外周に補修部材が配置されるようになされ、前記枝管円筒体の直下で本管円筒体内に、枝管円筒体を枝管内に導入させるジャッキを配置した分岐管を有する管路の補修に用いるパッカ―。
【実施例１】
【００１５】
図１，図２，図３を参照してこの発明の第一実施例について説明をする。
ここで、図１はジャッキを備えたパッカ―を本管内で収縮した状態で配置した断面図であり、図２は枝管の中心軸線直下においてジャッキによってパッカ―の枝管側を伸張させて枝管円筒体を枝管内に導入させた断面図であり、図３はパッカ―内に圧縮空気を供給してパッカ―を膨張させた断面図である。
【００１６】
図１において、１は下水道管などの地中に埋設された本管であり、該本管１内には収縮状態のパッカ―２が配置されている。該パッカ―２は、本管円筒体３と枝管円筒体４とで略Ｔ字状に構成され、本管円筒体３の両端内面および枝管円筒体４の先端内面には閉塞管５，６，７が取り付けられてパッカ―２の内部を袋体に保形している。そして、本管円筒体３の一端の閉塞管５には圧縮空気の供給管（図示せず）が、他端側の閉塞管６にはパッカ―索引装置（図示せず）が取り付けられ、枝管円筒体４の閉塞管７の下位部位にはパッカ―２の本管円筒体３内に内蔵され保持されたジャッキ８が接続されている。なお、前記圧縮空気の供給管やパッカ―索引装置は閉塞管５，６のいずれかに集合して配置してもよい。そして、該パッカ―２の外周には補修部材９が巻き付けられている。
【００１７】
このようにして本管１内において収縮した状態でその外周に補修部材９が巻き付けられたパッカ―２が、適宜なパッカ―索引装置によって移動されて枝管１０の中心軸線直下に枝管円筒体４の中心部位が位置されたところでパッカ―２の移動を停止させる。
【００１８】
そこで、パッカ―２内のジャッキ８を遠隔操作により作動させて、該ジャッキ８により前記枝管円筒体４を枝管１０内に導入させる。この枝管円筒体４を枝管１０内に導入させるのにジャッキ８を用いて積極的に枝管円筒体４を進入させるので枝管円筒体４はスム―ズに枝管１０内に入って行くのである。（図２の状態）。
【００１９】
枝管円筒体４が枝管１０内に納まった状態で、パッカ―２内に本管円筒体３の一端の閉塞管５から圧縮空気を供給してパッカ―２を膨張させる。このパッカ―２の膨張により、パッカ―２内からの空気圧によって補修部材９は本管１および枝管１０の各内周面にそれぞれ圧接される。（図３の状態）。
【００２０】
そして、補修部材９を本管１および枝管１０の内周面に圧接させた状態で、前記圧縮空気を加熱状態とする。この加熱空気によって補修部材９に含まれている例えば熱硬化性樹脂が補修部材９を本管１および枝管１０の内周面に密封して硬化する。
【００２１】
前記加熱空気による熱硬化性樹脂の硬化が修了すると、パッカ―２内の圧縮空気を抜き出し、ジャッキ８を初期状態に戻した後，パッカ―２を移動させて、本管１および枝管１０の内周面は、補修部材９が樹脂層によって保護された状態となる。
【００２２】
以上のように、パッカ―２を本管１内を移動させて枝管１０の中心軸線直下に枝管円筒体４の中心部位を位置させ、パッカ―２内のジャッキ８により枝管円筒体４を枝管１０内に導入させるようにしたため、パッカ―２の枝管円筒体４の枝管１０内面への導入は、積極的で且つスム―ズに確実に行われ、しかもジャッキ８は本管１内の汚水等により汚染されることもないものであり、枝管１０の内面と該枝管１０の近傍の本管１の内面とを補修部材９により正確にライニングする分岐管を有する管路の補修に用いるパッカ―となる。
【実施例２】
【００２３】
上記実施例１におけるパッカ―２の本管円筒体３内に配置したジャッキ８を多段に構成し、枝管円筒体４の枝管１０への導入ストロ―クを増大させるようにしたものである。
【００２４】
図４には、ジャッキ８を外シリンダ２０と内シリンダ２１とで構成した多段式のものが示されており、他の構成は前記第一実施例と実質的に同一であるので同一符号を付してその説明を省略する。
【００２５】
前記内シリンダ２１の底板２２は外シリンダ２０のピストンとして作動し、内シリンダ２１内に配置されたピストン２３にはピストンロッド２４が形成され、該ピストンロッド２４の先端部は枝管円筒体４の先端内面の閉塞管７に接続されるようになっている。なお、ジャッキ８は２段式に限らず３段等を含む多段とすることもできるものである。
【００２６】
したがって、パッカ―２が枝管１０の中心軸線直下に枝管円筒体４の中心部位が位置されたところでその移動が停止され、そこで、パッカ―２内の多段のジャッキ８を遠隔操作により作動させる。この遠隔操作により、まず外シリンダ２０内に圧縮空気を供給して該圧縮空気により内シリンダ２１の底板２２を押し上げるように作動して内シリンダ２１を上昇させ、次いで内シリンダ２１に圧縮空気を供給して該圧縮空気により内シリンダ２１のピストン２３を押し上げるように作動させる。このようにして、当該多段のジャッキ８により枝管円筒体４の枝管１０への導入ストロ―クを増大させるのである。
【００２７】
このように、ジャッキ８を多段に構成しパッカ―２の枝管円筒体４の枝管１０への導入ストロ―クを増大させるようにしたので、枝管円筒体４側の補修部材９は長い範囲で枝管１０に接触され得るようになって、パッカ―２が枝管１０の内面を従来例に比して広範囲にわたってライニングさせ得るものとなる。
【００２８】
なお、前記ジャッキ８を多段とする構成としては、各シリンダ２０，２１，…をそれぞれ独立したシリンダとして配置し、それらのピストンロッドと次のシリンダとを順次連結して最終のシリンダのピストンロッドを閉塞管７に接続し、最初のシリンダのみを固定し、他のシリンダを上下動可能にしてもよい。
【実施例３】
【００２９】
図１ないし図３におけるパッカ―２の本管円筒体３内に内蔵され保持されたジャッキ８が、その支持板３０に対して傾動自在に本管円筒体内３で枢支３１されるようにする。また、図４におけるパッカ―２の本管円筒体３内に内蔵され保持されたジャッキ８も、その支持板３０に対して傾動自在に本管円筒体内３で枢支３１されるようにする。
【００３０】
前記ジャッキ８がその支持板３０に対して傾動自在に本管円筒体内３で枢支３１される構成としては、例えば前記各図に示したようにシリンダ８の底部外形を略球状とし該球状部を支持板３０に形成した球状凹部に嵌め込む、いわゆるピポット接合とすることができる。
【００３１】
このように、ジャッキ８が本管円筒体３内に傾動自在に枢支されると、本管１に対して枝管１０が直角方向に位置する場合は勿論のこと、本管１に対する枝管１０が如何なる方向に傾斜していても、ジャッキ８はその先端側に接続された閉塞管７を枝管１０の傾斜方向に向けて進行させるように傾動する（図５参照）。
【００３２】
したがって、ジャッキ８によるパッカ―２の枝管円筒体４の枝管１０への導入は、本管１に対する枝管１０の傾斜方向が如何なる方向にあっても簡単・容易に可能となり、パッカ―２は高性能のものとなる。
【実施例４】
【００３３】
図１ないし図３におけるパッカ―２の本管円筒体３内に内蔵され保持されたジャッキ８が、或は図４におけるパッカ―２の本管円筒体３内に内蔵され保持されたジャッキ８が、その外周をカバ―４０で覆われるようにする。
【００３４】
このように、ジャッキ８をカバ―４０で覆った場合には、ジャッキ８により枝管円筒体４の枝管１０への導入時に、ジャッキ８およびパッカ―２の枝管円筒体４の内面は該カバ―４０によって十分に保護されるので、より安全なパッカ―２となる。
【図面の簡単な説明】
【００３５】
【図１】本発明に係るパッカ―の使用準備段階の要部縦断面図である。
【図２】その中間段階の要部縦断面図である。
【図３】その最終段階の要部縦断面図である。
【図４】本発明に係るパッカ―に多段のジャッキを用いた要部断面図である。
【図５】本発明に係るパッカ―にジャッキを枢支した場合のジャッキの動作を示す説明図である。
【符号の説明】
【００３６】
１                      本管
２                      パッカ―
３                      本管円筒体
４                      枝管円筒体
８                      ジャッキ
９                      補修部材
１０                    枝管
３１                    枢支
４０                    カバ―
【図１】
2007321841.tif 000003
【図２】
2007321841.tif 000004
【図３】
2007321841.tif 000005
【図４】
2007321841.tif 000006
【図５】
2007321841.tif 000007